(57)【特許請求の範囲】
【請求項１】
大気に含まれる粒子状物質を付着させて捕集する弾性体かつ多孔質体である捕集部と、
前記捕集部を大気中に曝露させる状態で保持する保持部と、
大気中に曝露されている前記捕集部の下方に設けられて前記捕集部から落ちた液体及び固体を貯留する貯留部と、
大気中に曝露されている前記捕集部の上方に設けられる蓋部とを備え、
前記貯留部と前記蓋部は、合体状態と分離状態とを切り替え可能に設けられ、合体状態である場合に前記捕集部を前記貯留部と前記蓋部により形成された筐体内に収納する
粒子状物質捕集装置。 
【請求項２】
前記筐体は、前記捕集部を圧縮した状態で収納する
請求項１に記載の粒子状物質捕集装置。 
【請求項３】
屋根と、側方に設けられた通気用の開口部とを有する箱体を有し、
前記捕集部は、前記箱体内で保持される
請求項１又は２に記載の粒子状物質捕集装置。 
【請求項４】
前記箱体は、前記側方にルーバーを有する
請求項３に記載の粒子状物質捕集装置。
【発明の詳細な説明】
【技術分野】
【０００１】
本発明は、粒子状物質捕集装置に関する。
【背景技術】
【０００２】
大気中に含まれる海塩粒子等の大気浮遊塩分は、金属や合金等（以下、金属等）を含む構造体に付着すると金属等の腐食を引き起こす。このため、大気環境により生じる腐食性を評価するために、構造体に対する大気浮遊塩分の付着度を測定することが行われている。大気浮遊塩分の付着度の測定方法として、通気性を有する円筒状の支持体（ガーゼホルダー）に巻き付けられたガーゼを所定期間大気中に曝露させて大気浮遊塩分を捕集する方法がある（例えば、特許文献１）。
【先行技術文献】
【特許文献】
【０００３】
【特許文献１】国際公開第２０１４／０４９７１６号
【発明の概要】
【発明が解決しようとする課題】
【０００４】
しかしながら、特許文献１に記載の方法では、所定期間を超える継続調査において、ガーゼを支持体から取り外し、新たなガーゼを支持体に巻き付けるという交換作業を行う必要があった。また、ガーゼを支持体に固定するためには、糸等によりガーゼを支持体に縛り付ける必要があるため、ガーゼの取り外し時に係る糸等を切断する必要があった。このように、特許文献１に記載の方法では、測定の繰り返しに係る作業が煩雑であった。また、大気中に曝露されるガーゼが設置される場所は、一般的なヒトの身長を超える高所であることが多い。このため、係る場所におけるガーゼの交換作業は極めて煩雑であった。
【０００５】
そこで、本発明では、大気浮遊塩分を捕集する部材の交換に係る作業がより簡便な粒子状物質捕集装置を提供することを目的とする。
【課題を解決するための手段】
【０００６】
上述した課題を解決し、目的を達成するために、本発明の粒子状物質捕集装置は、大気に含まれる粒子状物質を付着させて捕集する弾性体かつ多孔質体である捕集部と、前記捕集部を大気中に曝露させる状態で保持する保持部と、を備える。
【０００７】
本発明の望ましい態様として、大気中に曝露されている前記捕集部の下方に設けられて前記捕集部から落ちた液体及び固体を貯留する貯留部を備える。
【０００８】
本発明の望ましい態様として、大気中に曝露されている前記捕集部の上方に設けられる蓋部を備え、前記貯留部と前記蓋部は、合体状態と分離状態とを切り替え可能に設けられ、合体状態である場合に前記捕集部を前記貯留部と前記蓋部により形成された筐体内に収納する。
【０００９】
本発明の望ましい態様として、前記筐体は、前記捕集部を圧縮した状態で収納する。
【００１０】
本発明の望ましい態様として、屋根と、側方に設けられた通気用の開口部とを有する箱体を有し、前記捕集部は、前記箱体内で保持される。
【００１１】
本発明の望ましい態様として、前記箱体は、前記側方にルーバーを有する。
【発明の効果】
【００１２】
本発明によれば、大気浮遊塩分を捕集する部材の交換に係る作業がより簡便になる。
【図面の簡単な説明】
【００１３】
【図１】図１は、本実施形態に係る粒子状物質捕集装置の一例を示す斜視図である。
【図２】図２は、本実施形態に係る粒子状物質捕集装置の構造の一例を示す図である。
【図３】図３は、箱体内部の構成の一例を示す斜視図である。
【図４】図４は、貯留部と蓋部との合体の一例を示す模式図である。
【図５】図５は、貯留部と蓋部との合体の一例を示す模式図である。
【図６】図６は、箱体が取り付けられた柱状の建造物の一例を示す図である。
【発明を実施するための形態】
【００１４】
次に、本発明を実施するための形態（以下、本実施形態と記載する）を、図面を参照して詳細に説明する。図１は、本実施形態に係る粒子状物質捕集装置１の一例を示す斜視図である。図２は、本実施形態に係る粒子状物質捕集装置１の構造の一例を示す図である。本実施形態に係る粒子状物質捕集装置１は、捕集部１０と、保持部と、貯留部３０と、蓋部４０と、箱体５０とを備える。
【００１５】
図３は、箱体５０内部の構成の一例を示す斜視図である。捕集部１０は、大気に含まれる粒子状物質を付着させて捕集する。具体的には、捕集部１０は、大気に含まれる粒子状物質を付着させて捕集する弾性体かつ多孔質体である。捕集部１０は、例えばスポンジからなる。より具体的には、捕集部１０を構成するスポンジは、例えばポリウレタン等の合成樹脂が発泡形成された所謂合成スポンジである。スポンジは、多孔質体であり、通気性及び吸湿性を示す。スポンジの目の細かさ（発泡形成時における発泡の度合い）は、捕集の対象となる粒子状物質（例えば、海塩粒子等の大気浮遊塩分）の大きさに応じたものであることが望ましい。捕集部１０を構成するスポンジは、弾性体である。このため、捕集部１０は、外部から押圧されることで圧縮されて見かけ上の体積を減じ、より小さい空間内に収まるサイズになる。一方、外部からの押圧がなくなることで、圧縮前のサイズに戻る。
【００１６】
保持部は、捕集部１０を大気中に曝露させる状態で保持する。具体的には、保持部は、例えば棒状の部材であるシャフト２１と、シャフト２１の両端を係止する二つの係止部２２，２３とを有する。シャフト２１は、捕集部１０の円筒形状の中心軸とほぼ重なる状態で捕集部１０を貫通するよう設けられる。捕集部１０の筒の両端には、例えばシャフト２１の径に応じた孔が設けられたスポンジ製の端部１１があり、シャフト２１は、当該端部１１の孔に挿通される。捕集部１０の筒状のスポンジと端部１１のスポンジは一体形成されていてもよいし、粘着性の両面テープ等で接着されていてもよい。二つの係止部２２，２３は、例えばシャフト２１が鉛直に設けられるよう、シャフト２１の長さに応じた間隔を有する位置関係で上下方向に設けられる。捕集部１０が取り付けられたシャフト２１を二つの係止部２２，２３が係止することで、円筒状の捕集部１０は、円筒の中心軸が鉛直になるよう設けられる。二つの係止部２２，２３は、例えば下方の一方がシャフト２１を挿入可能な穴を有する係止部２２であり、他方が板状部材２３ａと、回動部材２３ｂとを有し、板状部材２３ａに形成された切欠部２３ｃに進入したシャフト２１を回動部材２３ｂにより保持する機構を有する係止部２３である。切欠部２３ｃは、例えば水平に設けられた板状部材２３ａの側方から内側に向かうよう設けられ、シャフト２１の径に応じた幅を有する。切欠部２３ｃが設けられた板状部材２３ａは、シャフト２１を側方から進入又は取り外し可能になっている。回動部材２３ｂは、板状部材２３ａの一面側で支点２３ｄを中心に回動可能に支持され、切欠部２３ｃの入り口側の開放と閉鎖とを切り替えるように回動する。係る二つの係止部２２，２３の具体的な形態はあくまで一例であってこれに限られるものでなく、適宜変更可能である。
【００１７】
貯留部３０は、大気中に曝露されている捕集部１０の下方に設けられて捕集部１０から落ちた液体及び固体を貯留する。具体的には、貯留部３０は、例えば上方から落下してきた液体及び固体を貯留可能な、上方が開放された容器状の部材である。より具体的には、貯留部３０は、例えば、径が捕集部１０の円筒の径よりも大きい円筒状の側壁３１と、側壁３１が形成する円筒の一端（下端）を閉塞する底部３２とを有する。貯留部３０は、上方から落下してきた液体、固体又はその両方を底部３２で受け止めると共に、側壁３１により外部への漏出を防止する。
【００１８】
蓋部４０は、大気中に曝露されている捕集部１０の上方に設けられる。具体的には、蓋部４０は、例えば径が捕集部１０の円筒の径よりも大きい円筒状の側壁４１と、側壁４１が形成する円筒の一端（上端）を閉塞する天井部４２とを有する。
【００１９】
図４及び図５は、貯留部３０と蓋部４０との合体の一例を示す模式図である。貯留部３０と蓋部４０は、合体状態と分離状態とを切り替え可能に設けられ、合体状態である場合に捕集部１０を貯留部３０と蓋部４０により形成された筐体内に収納する。具体的には、貯留部３０及び蓋部４０の一方（例えば貯留部３０）は、側壁３１の外周面に螺旋状の突起を有する。係る一方に設けられた外周面の突起は、雄ねじとして機能する。貯留部３０及び蓋部４０の他方（例えば蓋部４０）は、側壁４１の内周面に螺旋状の溝を有する。係る他方に設けられた内周面の溝は、一方に設けられた雄ねじに対する雌ねじとして機能する。すなわち、貯留部３０と蓋部４０とは、互いの側壁３１，４１が螺合することで合体状態となり、貯留部３０及び蓋部４０の側壁３１，４１並びに貯留部３０の底部３２及び蓋部４０の天井部４２で覆われた筐体を形成する。捕集部１０を挟んだ状態で貯留部３０と蓋部４０とを合体状態にすることで、貯留部３０及び蓋部４０により形成される筐体は、捕集部１０を収納することができる。なお、本実施形態の貯留部３０及び蓋部４０により形成される筐体は、捕集部１０を圧縮した状態で収納する（図４，図５参照）が、貯留部３０及び蓋部４０により形成される筐体内の空間が捕集部１０を圧縮せずに捕集部１０を収納可能な大きさを有するようにすることで、捕集部１０を圧縮しないようにすることもできる。具体的には、例えば筐体の側壁の底部３２に対する立設長が捕集部１０の円筒長以上であれば、捕集部１０を圧縮しないようにすることもできる。
【００２０】
貯留部３０及び蓋部４０は、側壁３１，４１が大気中に曝露されている捕集部１０の側方を遮蔽しない位置に設けられることが望ましい。また、貯留部３０及び蓋部４０の形状は任意である。例えば、貯留部３０及び蓋部４０は球体状の外周面を形成するカプセルを二つに割ったような形状であってもよい。なお、貯留部３０は上方から落下してきた液体及び固体を貯留可能な形状であるものとする。具体的には、貯留部３０は、上方が開放状態であり、内側が器状又は下方に向かって窪む形状であるものとする。
【００２１】
筐体を形成する貯留部３０及び蓋部４０の少なくとも一方は、シャフト２１に沿って移動可能に設けられている。本実施形態では、貯留部３０及び蓋部４０は、シャフト２１から取り外し可能に設けられている。すなわち、貯留部３０及び蓋部４０は、シャフト２１と摺接する孔を有する。この場合において大気中に曝露されていた捕集部１０を回収するとき、例えば、シャフト２１ごと捕集部１０、貯留部３０及び蓋部４０を二つの係止部２２，２３から取り外した後、内容物を漏出させない袋にシャフト２１ごと捕集部１０、貯留部３０及び蓋部４０を入れ、袋内でシャフト２１を取り外してシャフト２１を袋外に取り出した後、袋内で貯留部３０と蓋部４０とを合体状態にし、袋を密閉する。このようにすることで、回収後の捕集部１０を貯留部３０と蓋部４０とにより形成された筐体のサイズに縮めて回収することができる。なお、袋を用いた密閉に代えて、シャフト２１が取り外された後の孔をテーピング等により塞ぐようにしてもよい。また、貯留部３０が明らかに液体状の落下物を貯留している場合等、シャフト２１への液体の付着による捕集対象の一部の散在が予想される場合には、シャフト２１ごと袋内に密閉するようにしてもよい。
【００２２】
箱体５０は、捕集部１０を内側に収納する。具体的には、箱体５０は、例えば、屋根部５１と、底部５２と、四つの側面部５３とを有する直方体状の形状を有する。箱体５０は、内部が空洞であり、内部に捕集部１０を収納可能に設けられている。本実施形態では、二つの係止部２２，２３のうちシャフト２１の上方を係止する一方は、箱体５０内の屋根部５１側に固定されている。また、二つの係止部２２，２３のうちシャフト２１の下方を係止する他方は、箱体５０内の底部５２側に固定されている。
【００２３】
箱体５０は、側方に通気用の開口部が設けられている。具体的には、箱体５０は、例えば、側方にルーバーを有する。より具体的には、箱体５０の四つの側面部５３はそれぞれ、複数の羽板５３ａが上下方向に間隔をあけて互いに平行になるように設けられている。羽板５３ａ同士の間の隙間が開口部として機能することで、箱体５０は、その内部に箱体５０外の大気（風）を通過させることができるように設けられている。
【００２４】
羽板５３ａは、箱体５０の内側から外側に向かって下方に傾斜するよう設けられている。これにより、雨等の降下物が開口部から箱体５０の内側に入り込むことを抑制することができる。また、屋根部５１は、箱体５０の側面部５３よりも外側に張り出すように設けられている。これにより、雨等の降下物が捕集部１０に降り注ぐことをより確実に抑制することができる。箱体５０は、所謂百葉箱である。
【００２５】
図６は、箱体５０が取り付けられた柱状の建造物６０の一例を示す図である。箱体５０は、外側から内側に捕集部１０を導入することができるとともに、内側で保持されていた捕集部１０を取り出すことができるよう設けられていることが望ましい。本実施形態では、箱体５０の四つの側面部５３のうち一つが鎧戸となっていて開閉可能に設けられている。鎧戸は、太陽の日周運動において地平線より上側で子午線を通る方角（例えば北半球の場合、南側）の逆側（例えば北半球の場合、北側）に設けられることが望ましい。また、図６に示す例において、鎧戸を柱状の建造物６０（例えば、電柱等）側にすることで、柱状の建造物６０を登って捕集部１０の設置及び回収を行う作業者がより作業をしやすくなる。
【００２６】
以上、本実施形態によれば、捕集部１０が弾性体かつ多孔質体である。このため、捕集のために用いられるガーゼと異なり、大気浮遊塩分の捕集に適した形状（例えば、円筒状の形状）を維持するために別の部材（支持体）に巻き付ける必要がない。よって、より簡便に捕集部１０の設置及び交換を行うことができる。このように、本実施形態によれば、大気浮遊塩分を捕集する部材の交換に係る作業がより簡便になる。
【００２７】
また、大気中に曝露されている捕集部１０の下方に設けられて捕集部１０から落ちた液体及び固体を貯留する貯留部３０を備える。このため、捕集部１０に付着後、捕集部１０から落下した大気浮遊塩分を貯留することができる。よって、捕集部１０の回収時に貯留部３０に貯留された液体及び固体を回収することで、捕集部１０により捕集された大気浮遊塩分の総量をより高い精度で把握することができるようになる。
【００２８】
また、貯留部３０と蓋部４０は、合体状態である場合に捕集部１０を貯留部３０と蓋部４０により形成された筐体内に収納する。このため、捕集部１０の回収時に捕集部１０を当該筐体により保護することができる。よって、捕集部１０により捕集された大気浮遊塩分の取りこぼしをより抑制することができる。また、回収後の捕集部１０の取り扱いがより容易になる。
【００２９】
また、筐体は、捕集部１０を圧縮した状態で収納する。このため、回収後の捕集部１０を収納する筐体のサイズがより小さくなるので、筐体の取り扱いがより容易になる。
【００３０】
また、捕集部１０は、箱体５０内で保持される。このため、雨等の降下物が捕集部１０に降り注ぐことを抑制することができる。
【００３１】
また、箱体５０は、側方にルーバーを有する。このため、箱体５０内への通気性の確保と、雨等の降下物が箱体５０内の捕集部１０に降り注ぐことの抑制とをより確実に両立することができる。
【００３２】
また、捕集部１０が円筒状の形状を有することで、円筒の中心軸に交差するより多くの方向から風等に乗って飛来する大気浮遊塩分をよりむらなく捕集することができる。また、特許文献１に記載の構成では支持体が専用の部品であるため、３Ｄプリンタの使用等、専用の製造作業が必要であり、製造コストが高かった。これに対し、本実施形態によれば、安価なスポンジを用いれば足りるので、より低コストで粒子状物質を捕集することができる。また、回収後の捕集部１０を洗浄することで、捕集部１０を再利用することができる。
【００３３】
以上、実施形態について説明したが、これらの実施形態の内容により本発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【００３４】
例えば、上記の実施形態では、保持部はシャフト２１と二つの係止部２２，２３により捕集部１０を保持しているが、これは保持部の具体的な形態の一例であってこれに限られるものでなく、適宜変更可能である。例えば、捕集部１０の円筒の両端から延出するよう設けられた繊維、紐又は布状の延出部を設け、延出部の両端を箱体５０内の天井側（例えば、屋根部５１の下面側等）及び底部５２側（例えば、底部５２の上面側等）に留めるようにしてもよい。また、係る延出部を貯留部３０の上面側及び蓋部４０の下面側に固定して、貯留部３０を箱体５０の底部５２側に留め、蓋部４０を箱体５０の天井側に留めるようにしてもよい。この場合、貯留部３０及び蓋部４０により形成される筐体が延出部ごと捕集部１０を収納することができるうえ、貯留部３０及び蓋部４０にシャフト２１が貫通するための孔が必要ないので、より密閉された筐体内に捕集部１０等を収納することができる。
【００３５】
貯留部３０と蓋部４０との係合は、ねじ形状を介したものでなくてもよい。例えば、貯留部３０又は蓋部４０のうちいずれか一方の円筒状の側壁（例えば側壁３１）の外周面側に設けられた突起と、他方の円筒状の側壁（例えば側壁４１）の内周面側に設けられた窪みとが噛み合う形状であってもよいし、その他、互いに当接して筐体を形成することができる形態であれば特にその具体的形状は限定されない。また、蓋部４０は必須でない。例えば、シャフト２１ごと円筒状の捕集部１０及び貯留部３０を回収するようにしてもよい。
【００３６】
捕集部１０が形成する筒の断面形状は、円形でなくてもよい。例えば、多角形であってもよい。また、捕集部１０の形状は、筒状に限られるものでなく、適宜変更可能である。捕集部１０は、例えば、円柱状の弾性体かつ多孔質体であってもよいし、その他の形状の弾性体かつ多孔質体であってもよい。また、円柱状である場合に、その中心軸に沿ってシャフト２１を貫通させるための孔が設けられていてもよい。
【００３７】
また、捕集部１０には、大気中に曝露される期間中における方角を示す指標が付されていてもよい。例えば、捕集部１０の外周面のうち、箱体５０の鎧戸側に向いているべき面の中心又は中心線（例えば、筒の延設方向に沿う線）等の指標が付されていてもよい。この場合、作業者は捕集部１０の設置において当該指標が正面に来るように設置することで、捕集部１０の回収後にどの部分がどの方角を向いていたのかを容易に把握することができる。また、鎧戸は必須でない。例えば、箱体５０の他の部分（屋根部５１等）が開閉可能に設けられていてもよい。
【００３８】
また、捕集部１０は、海塩粒子等の大気浮遊塩分に限らず、大気中に存する他の粒子状物質を捕集することもできる。
【００３９】
また、粒子状物質捕集装置１が設けられるのは、柱状の建造物６０に限らない。粒子状物質捕集装置１は、例えば鉄塔等、通気性のある空間に面することができるあらゆる構造物に設けることができる。また、粒子状物質捕集装置１は、地上に設置されていてもよい。
【符号の説明】
【００４０】
１      粒子状物質捕集装置
１０    捕集部
２１    シャフト（保持部）
２２，２３  係止部（保持部）
３０    貯留部
４０    蓋部
５０    箱体
５１    屋根部
５３    側面部
５３ａ  羽板
【図１】
0006018150.tif 000002
【図２】
0006018150.tif 000003
【図３】
0006018150.tif 000004
【図４】
0006018150.tif 000005
【図５】
0006018150.tif 000006
【図６】
0006018150.tif 000007